(57)【特許請求の範囲】
【請求項１】
壁面に沿わせるようにして固定されるレール部材と、このレール部材の前面側に長手方向に沿って形成された案内溝にスライド自在に収容されるとともに任意の位置で該レール部材に固定される複数の固定部材と、これら固定部材にそれぞれの後端部が固定されて前方に向けて突出した状態で支持される複数本の棒状支持部材と、これら棒状支持部材のそれぞれの前端側が挿入される複数の支持穴が後端部に設けられた棚板と、を備えており、
前記棚板は、前記後端部に前記レール部材を受け入れる凹溝が全長に亘って設けられ、該凹溝の上側片部によって前記レール部材の上面側を略覆い隠す構造とされており、
前記レール部材は、前記壁面に沿うように配設され、該壁面に止具によって固定される平板状の固定片部と、この固定片部の上下の縁部から前方に向けて突出するようにそれぞれ形成された上片部及び下片部とを備え、該上片部を含み当該レール部材の上面全面が略平坦面とされ、該下片部の後端縁には、下方に向けて垂れ下がり、前記棚板の凹溝の下側片部の後端面に当接して前面側が覆われる垂下片部が設けられており、
前記垂下片部は、後面が前記固定片部の後面に同一平面状に連なり、かつ下面が前記棚板の下面と略同一平面状となるように設けられていることを特徴とする棚板装置。
【請求項２】
壁面に沿わせるようにして固定されるレール部材と、このレール部材の前面側に長手方向に沿って形成された案内溝にスライド自在に収容されるとともに任意の位置で該レール部材に固定される複数の固定部材と、これら固定部材にそれぞれの後端部が固定されて前方に向けて突出した状態で支持される複数本の棒状支持部材と、これら棒状支持部材のそれぞれの前端側が挿入される複数の支持穴が後端部に設けられた棚板と、を備えており、
前記棚板は、前記後端部に前記レール部材を受け入れる凹溝が全長に亘って設けられ、該凹溝の上側片部によって前記レール部材の上面側を略覆い隠す構造とされており、
前記棒状支持部材の後端部には、雄ねじ部が設けられ、前記固定部材には、この棒状支持部材の雄ねじ部が捩じ込まれる前後に貫通した雌ねじ孔が設けられ、前記レール部材には、前記案内溝に収容された前記固定部材の前方側への移動を抑制する抜止壁部が設けられており、
前記棒状支持部材の雄ねじ部が前記固定部材の雌ねじ孔に捩じ込まれることで、前記固定部材が前記抜止壁部に押し付けられて前記レール部材に固定される構造とされていることを特徴とする棚板装置。
【請求項３】
請求項１または２において、
前記レール部材と略同長さ寸法で、該レール部材よりも幅広寸法とされ、かつ該レール部材と前記壁面との間に配設される帯板状部材を更に備え、該帯板状部材には、前記棚板の後端部を受け入れて該後端部を保持する係合凹所が設けられていることを特徴とする棚板装置。
【請求項４】
壁面に沿わせるようにしてレール部材が固定され、このレール部材の前面側に長手方向に沿って形成された案内溝にスライド自在に収容された複数の固定部材が適宜位置で該レール部材に固定され、これら固定部材に複数本の棒状支持部材のそれぞれの後端部が固定されて前方に向けて突出した状態でこれら棒状支持部材が支持され、これら複数本の棒状支持部材の前端側が棚板の後端部に設けられた複数の支持穴にそれぞれ挿入されて該棚板が支持され、
前記棚板の後端部に、前記レール部材を受け入れる凹溝が全長に亘って設けられ、該凹溝の上側片部によって前記レール部材の上面側を略覆い隠す構造とされ、
前記レール部材は、前記壁面に沿うように配設され、該壁面に止具によって固定された平板状の固定片部の上下の縁部から前方に向けて突出するようにそれぞれ上片部及び下片部を設けた構造とされ、この上片部を含み当該レール部材の上面全面が略平坦面とされ、前記下片部の後端縁に下方に向けて垂れ下がるように、かつ後面が前記固定片部の後面に同一平面状に連なるように垂下片部が設けられた構造とされており、
前記棚板の凹溝の下側片部の後端面が該垂下片部に当接されて該垂下片部の前面側が覆われ、かつ該垂下片部の下面が前記棚板の下面と略同一平面状とされていることを特徴とする棚板支持構造。
【請求項５】
壁面に沿わせるようにしてレール部材が固定され、このレール部材の前面側に長手方向に沿って形成された案内溝にスライド自在に収容された複数の固定部材が適宜位置で該レール部材に固定され、これら固定部材に複数本の棒状支持部材のそれぞれの後端部が固定されて前方に向けて突出した状態でこれら棒状支持部材が支持され、これら複数本の棒状支持部材の前端側が棚板の後端部に設けられた複数の支持穴にそれぞれ挿入されて該棚板が支持され、
前記棚板の後端部に、前記レール部材を受け入れる凹溝が全長に亘って設けられ、該凹溝の上側片部によって前記レール部材の上面側を略覆い隠す構造とされ、
前記棒状支持部材の後端部に設けられた雄ねじ部が、前記固定部材の前後に貫通して設けられた雌ねじ孔に捩じ込まれ、前記案内溝に収容された該固定部材の前方側への移動を抑制するように前記レール部材に設けられた抜止壁部に該固定部材が押し付けられて該レール部材に固定されていることを特徴とする棚板支持構造。
【発明の詳細な説明】
【技術分野】
【０００１】
本発明は、壁面に沿わせるようにして固定される棚板装置及び棚板支持構造に関する。
【背景技術】
【０００２】
従来より、住居等の建物の壁面にカウンター状に固定される棚板が知られている。このような棚板の支持構造としては、棚板受具等を壁面に固定して該棚板受具によって棚板を支持する構造とされたものがあるが、棚板受具が大きく露出してしまい見栄えが悪いという問題があった。
下記特許文献１では、棚板を支持する棚受棒を有した支持具をレールに摺動自在に設け、このレールに係止する係止金具を裏面に設けた壁パネルによってレールの前面を覆う構造とされた収納装置が提案されている。この収納装置では、隣接する各壁パネルの端部に切欠き部を設け、この切欠き部から支持具の棚受棒を突出させて棚板に挿入して支持する構造とされている。
【先行技術文献】
【特許文献】
【０００３】
【特許文献１】特開平５−３１０１４号公報
【発明の概要】
【発明が解決しようとする課題】
【０００４】
上記特許文献１に記載された収納装置では、レールの前面側が壁パネルによって覆われるためレールが目立ち難いものではある。しかしながら、壁パネルを設置する必要があり、また、この壁パネルに係止金具を設けたり、切欠き部を設けたりする必要があり、構造が複雑化するという問題があった。
【０００５】
本発明は、上記実情に鑑みてなされたものであり、簡易な構造でありながらも棚板を支持する部材を目立ち難くし得る棚板装置及び棚板支持構造を提供することを目的としている。
【課題を解決するための手段】
【０００６】
上記目的を達成するために、本発明に係る棚板装置は、壁面に沿わせるようにして固定されるレール部材と、このレール部材の前面側に長手方向に沿って形成された案内溝にスライド自在に収容されるとともに任意の位置で該レール部材に固定される複数の固定部材と、これら固定部材にそれぞれの後端部が固定されて前方に向けて突出した状態で支持される複数本の棒状支持部材と、これら棒状支持部材のそれぞれの前端側が挿入される複数の支持穴が後端部に設けられた棚板と、を備えており、前記棚板は、前記後端部に前記レール部材を受け入れる凹溝が全長に亘って設けられ、該凹溝の上側片部によって前記レール部材の上面側を略覆い隠す構造とされており、前記レール部材は、前記壁面に沿うように配設され、該壁面に止具によって固定される平板状の固定片部と、この固定片部の上下の縁部から前方に向けて突出するようにそれぞれ形成された上片部及び下片部とを備え、該上片部を含み当該レール部材の上面全面が略平坦面とされ、該下片部の後端縁には、下方に向けて垂れ下がり、前記棚板の凹溝の下側片部の後端面に当接して前面側が覆われる垂下片部が設けられており、前記垂下片部は、後面が前記固定片部の後面に同一平面状に連なり、かつ下面が前記棚板の下面と略同一平面状となるように設けられていることを特徴とする。
【０００７】
また、上記目的を達成するために、本発明に係る棚板装置は、壁面に沿わせるようにして固定されるレール部材と、このレール部材の前面側に長手方向に沿って形成された案内溝にスライド自在に収容されるとともに任意の位置で該レール部材に固定される複数の固定部材と、これら固定部材にそれぞれの後端部が固定されて前方に向けて突出した状態で支持される複数本の棒状支持部材と、これら棒状支持部材のそれぞれの前端側が挿入される複数の支持穴が後端部に設けられた棚板と、を備えており、前記棚板は、前記後端部に前記レール部材を受け入れる凹溝が全長に亘って設けられ、該凹溝の上側片部によって前記レール部材の上面側を略覆い隠す構造とされており、前記棒状支持部材の後端部には、雄ねじ部が設けられ、前記固定部材には、この棒状支持部材の雄ねじ部が捩じ込まれる前後に貫通した雌ねじ孔が設けられ、前記レール部材には、前記案内溝に収容された前記固定部材の前方側への移動を抑制する抜止壁部が設けられており、前記棒状支持部材の雄ねじ部が前記固定部材の雌ねじ孔に捩じ込まれることで、前記固定部材が前記抜止壁部に押し付けられて前記レール部材に固定される構造とされていることを特徴とする。
また、本発明においては、前記レール部材と略同長さ寸法で、該レール部材よりも幅広寸法とされ、かつ該レール部材と前記壁面との間に配設される帯板状部材を更に備えたものとし、該帯板状部材に、前記棚板の後端部を受け入れて該後端部を保持する係合凹所を設けてもよい。
【０００８】
また、上記目的を達成するために、本発明に係る棚板支持構造は、壁面に沿わせるようにしてレール部材が固定され、このレール部材の前面側に長手方向に沿って形成された案内溝にスライド自在に収容された複数の固定部材が適宜位置で該レール部材に固定され、これら固定部材に複数本の棒状支持部材のそれぞれの後端部が固定されて前方に向けて突出した状態でこれら棒状支持部材が支持され、これら複数本の棒状支持部材の前端側が棚板の後端部に設けられた複数の支持穴にそれぞれ挿入されて該棚板が支持され、前記棚板の後端部に、前記レール部材を受け入れる凹溝が全長に亘って設けられ、該凹溝の上側片部によって前記レール部材の上面側を略覆い隠す構造とされ、前記レール部材は、前記壁面に沿うように配設され、該壁面に止具によって固定された平板状の固定片部の上下の縁部から前方に向けて突出するようにそれぞれ上片部及び下片部を設けた構造とされ、この上片部を含み当該レール部材の上面全面が略平坦面とされ、前記下片部の後端縁に下方に向けて垂れ下がるように、かつ後面が前記固定片部の後面に同一平面状に連なるように垂下片部が設けられた構造とされており、前記棚板の凹溝の下側片部の後端面が該垂下片部に当接されて該垂下片部の前面側が覆われ、かつ該垂下片部の下面が前記棚板の下面と略同一平面状とされていることを特徴とする。
また、上記目的を達成するために、本発明に係る棚板支持構造は、壁面に沿わせるようにしてレール部材が固定され、このレール部材の前面側に長手方向に沿って形成された案内溝にスライド自在に収容された複数の固定部材が適宜位置で該レール部材に固定され、これら固定部材に複数本の棒状支持部材のそれぞれの後端部が固定されて前方に向けて突出した状態でこれら棒状支持部材が支持され、これら複数本の棒状支持部材の前端側が棚板の後端部に設けられた複数の支持穴にそれぞれ挿入されて該棚板が支持され、前記棚板の後端部に、前記レール部材を受け入れる凹溝が全長に亘って設けられ、該凹溝の上側片部によって前記レール部材の上面側を略覆い隠す構造とされ、前記棒状支持部材の後端部に設けられた雄ねじ部が、前記固定部材の前後に貫通して設けられた雌ねじ孔に捩じ込まれ、前記案内溝に収容された該固定部材の前方側への移動を抑制するように前記レール部材に設けられた抜止壁部に該固定部材が押し付けられて該レール部材に固定されていることを特徴とする。
【発明の効果】
【０００９】
本発明に係る棚板装置及び棚板支持構造は、上述のような構成としたことで、簡易な構造でありながらも棚板を支持する部材を目立ち難くすることができる。
【図面の簡単な説明】
【００１０】
【図１】（ａ）、（ｂ）は、いずれも本発明の一実施形態に係る棚板装置及び棚板支持構造の一例を模式的に示し、（ａ）は、図２におけるＸ−Ｘ線矢視に対応させた概略縦断面図、（ｂ）は、（ａ）に対応させて一部を分解した状態を示す一部破断概略縦断面図である。
【図２】同棚板装置を模式的に示す概略斜視図である。
【図３】同棚板装置の分解概略斜視図である。
【図４】（ａ）〜（ｅ）は、いずれも同棚板装置の施工手順の一例をそれぞれ模式的に示し、（ａ）は、一部破断概略斜視図、（ｂ）は、概略側面図、（ｃ）は、一部破断概略正面図、（ｄ）は、図１に対応させた概略縦断面図、（ｅ）は、一部破断概略正面図である。
【図５】（ａ）、（ｂ）は、いずれも同施工手順をそれぞれ模式的に示す一部破断概略斜視図である。
【図６】（ａ）は、本発明の他の実施形態に係る棚板装置及び棚板支持構造の一例を模式的に示し、図１（ａ）に対応させた概略縦断面図、（ｂ）は、同棚板装置が備える帯板状部材の一例を模式的に示す概略側面図、（ｃ）は、同棚板装置が備えるエンドキャップの一例を模式的に示す概略正面図、（ｄ）は、同棚板装置の一部破断概略側面図である。
【発明を実施するための形態】
【００１１】
以下に本発明の実施の形態について、図面に基づいて説明する。
なお、一部の図では、他図に付している詳細な符号の一部を省略している。
また、以下の各実施形態では、棚板が施工された状態において、壁面側を後方側、その逆側を前方側として説明し、また、施工された状態を基準として上下方向等の方向を説明する。
【００１２】
図１〜図５は、本実施形態に係る棚板装置及び棚板支持構造の一例について説明するための概念的な説明図である。
本実施形態に係る棚板装置１は、図１〜図３に示すように、左右に横長の略矩形平板状の棚板１０と、この棚板１０を支持する棚板支持装置２と、を備えている。
棚板支持装置２は、住居等の建物の壁面３に沿わせるようにして固定されるレール部材２０と、このレール部材２０に固定される複数（図例では、三つ）の固定部材３０と、これら複数の固定部材３０のそれぞれに支持される複数本（図例では、三本）の棒状支持部材３５と、を備えている。
【００１３】
レール部材２０は、図３に示すように、左右方向に沿って細長状とされており、このレール部材２０の前面側には、前方に向けて開口する案内溝２１が長手方向に沿って形成されている。この案内溝２１は、レール部材２０の長手方向の全長に亘って設けられており、レール部材２０の長手方向（左右方向）の両側端部のそれぞれにおいて長手方向外方側に向けて開口している。
また、レール部材２０は、図３及び図４（ａ）、（ｂ）に示すように、壁面３に沿うように配設される平板状の固定片部２２と、この固定片部２２の上下の縁部から前方に向けて突出するようにそれぞれ形成された上片部２３及び下片部２５とを備えている。このレール部材２０は、これら固定片部２２、上片部２３及び下片部２５によって前方に向けて開口する案内溝２１を区画形成している。
【００１４】
案内溝２１の溝底面となる固定片部２２の前面２２ａには、図４（ａ）〜（ｃ）に示すように、断面略Ｖ字状の細凹溝２２ｂが長手方向に沿って形成されている。この細凹溝２２ｂに沿って長手方向の複数箇所に間隔を空けて下孔を加工し、図４（ａ）に示すように、タッピンねじや木ねじ等のねじや釘等の止具４を捻じ込み（または打ち込み）、当該レール部材２０を、壁面３に沿わせるようにして固定するようにしてもよい。なお、このような細凹溝２２ｂを設けずに固定片部２２の予め適所に止具孔を形成しておくようにしてもよい。また、当該レール部材２０が固定される壁面３を形成する壁材の裏面側には、柱材（間柱）や横桟、胴縁等の固定下地を設けるようにしてもよい。
【００１５】
このレール部材２０は、本実施形態では、上片部２３を含み当該レール部材２０の上面２０ａが、全面に亘って略平坦面とされている。
また、レール部材２０は、案内溝２１に収容された固定部材３０の前方側への移動を抑制する抜止壁部２４，２６を備えている。本実施形態では、上片部２３の前端縁から垂れ下がるように上側の抜止壁部２４を設け、下片部２５の前端縁から立ち上がるように下側の抜止壁部２６を設けた例を示している。換言すれば、これら上下片部２３，２５によって区画された案内溝２１の前方開口の上下幅を狭めるように、これら上下片部２３，２５のそれぞれに抜止壁部２４，２６を設けた例を示している。
【００１６】
当該レール部材２０は、これら上下の抜止壁部２４，２６、上下片部２３，２５及び固定片部２２によって、縦断面形状が略Ｃ字状とされている。また、これら上下の抜止壁部２４，２６、上下片部２３，２５及び固定片部２２によって、互いに向き合う方向に開口する凹溝が案内溝２１の溝底側の上下に形成され、これら凹溝が、後記する固定部材３０に設けられた係合突部３２，３２に係合する係合凹溝となる。また、図例では、上片部２３及び下片部２５の固定片部２２からの突出寸法を略同寸法とし、上片部２３からの抜止壁部２４の垂れ下がり寸法と下片部２５からの抜止壁部２６の立ち上がり寸法とを略同寸法とした例を示している。このような構成とすることで、後記する固定部材３０を、その上下を問わず案内溝２１にスライドさせて収容させることができ、取り扱い性を向上させることができる。
【００１７】
また、レール部材２０は、下片部２５の後端縁に下方に向けて垂れ下がるように設けられた垂下片部２７を備えている。
この垂下片部２７は、後記する棚板１０を当該棚板支持装置２によって支持した状態では、図１（ａ）に示すように、その前面２７ａが、棚板１０によって覆われる。また、この垂下片部２７の後面は、固定片部２２の後面に連なり、これらが同一平面状とされている。
このレール部材２０の長さ寸法は、棚板１０の左右方向の寸法（図例では、長さ寸法）と略同長さ寸法とされている。また、このレール部材２０の上下の幅寸法は、棚板１０の上下寸法（厚さ寸法）よりも小さい寸法とされている。
【００１８】
固定部材３０は、レール部材２０の案内溝２１に、レール部材２０の長手方向に沿ってスライド自在に収容されるとともに、任意の位置でレール部材２０に固定される。
この固定部材３０は、図４（ａ）〜（ｄ）に示すように、ブロック状とされており、略中央には前後方向に貫通した雌ねじ孔３１が設けられている。この固定部材３０は、その左右寸法がレール部材２０の長さ寸法よりも小さく形成されており、この固定部材３０の左右寸法は、１０ｍｍ〜１００ｍｍ程度としてもよい。
また、この固定部材３０は、レール部材２０の案内溝２１にスライド自在に収容可能なように、その外郭寸法が案内溝２１の溝内寸法よりも僅かに小さく形成されている。また、この固定部材３０は、レール部材２０の案内溝２１に収容された状態で、その前面が、レール部材２０の前面（抜止壁部２４，２６の各前面）と略同一平面状、または、レール部材２０の前面よりも僅かに後方側位置となる形状とされている。
【００１９】
また、本実施形態では、図４（ａ）、（ｂ）に示すように、固定部材３０の上側部及び下側部のそれぞれに当該固定部材３０の前面から後方側に向けて段下がり状とされた係合突部３２，３２を設けており、固定部材３０の縦断面形状が扁平な略倒凸字状とされている。換言すれば、これら係合突部３２，３２は、固定部材３０の上下面の後方側部位においてそれぞれ上方及び下方に向けて突出するように形成されている。これら係合突部３２，３２が、レール部材２０の案内溝２１に設けられた上記した係合凹溝にレール部材２０の長手方向に沿ってスライド自在に係合し、当該固定部材３０を案内溝２１内でスライドさせる際にガイドとして機能する。また、これら係合突部３２，３２の前面が、レール部材２０の抜止壁部２４，２６の後面に当接し、当該固定部材３０の前方側への移動が抑制される。このような係合突部３２，３２を設けることで、例えば固定部材を平板状としたものと比べて、レール部材２０の前後寸法（厚さ寸法）の薄型化を図りながらも固定部材３０の強度を確保することができる。
【００２０】
また、本実施形態では、図４（ｂ）に示すように、固定部材３０の後面に、後方側に向けて開口し、止具４（図４（ａ）参照）の頭部等を受け入れる受入凹所３３を当該固定部材３０の左右方向に沿ってその全長に亘って設けている。このような受入凹所３３を設けることで、レール部材２０の固定片部２２に捩じ込まれた（打ち込まれた）止具４の頭部等に当該固定部材３０が干渉することがない。従って、レール部材２０の長手方向に沿って適所に止具４を捩じ込んで（打ち込んで）レール部材２０を固定対象に固定した後にも当該固定部材３０を案内溝２１に沿ってスムーズにスライドさせることができる。また、レール部材２０の固定片部２２に止具４の頭部等を受け入れる凹所を形成する必要性が低減され、またはこのような凹所を設けないようにすることもでき、レール部材２０の強度を確保することができる。
【００２１】
棒状支持部材３５は、固定部材３０に後端部３６が固定されて、壁面３に対して略直交方向（法線方向）となる前方に向けて突出した状態で支持される。
本実施形態では、棒状支持部材３５は、後端部３６が固定部材３０に設けられた雌ねじ孔３１にねじ作用で嵌る雄ねじ部３６とされ、その前端側がダボ状部３７とされている。
雄ねじ部３６は、本実施形態では、そのねじ長さが、レール部材２０の案内溝２１の溝深さ寸法（固定片部２２の前面２２ａから抜止壁部２４，２６の前面までの寸法）よりも大きく形成されており、図例では、該ねじ長さを上記溝深さ寸法よりも僅かに大きくした例を示している。また、本実施形態では、棒状支持部材３５は、レール部材２０の案内溝２１に収容された固定部材３０の雌ねじ孔３１に雄ねじ部３６を捩じ込んだ状態で、雄ねじ部３６の先端（後端）が案内溝２１の溝底面（固定片部２２の前面２２ａ）に当接する構成とされている。
【００２２】
ダボ状部３７は、雄ねじ部３６の径よりも大径とされ、雄ねじ部３６と同心状とされた略円柱形状とされており、これらによって当該棒状支持部材３５の後端側部位に段差部が形成されている。また、本実施形態では、ダボ状部３７の径を、レール部材２０の上下の抜止壁部２４，２６間の上下寸法（案内溝２１の前方開口の上下寸法）よりも小さい寸法としている。
このダボ状部３７の長さ寸法（前後寸法）は、後記する棚板１０の質量や前後寸法、棒状支持部材３５の設けられる個数等に応じて、棚板１０の支持が可能なように適宜、設定するようにすればよく、棚板１０の前後寸法の１／４〜３／４程度としてもよい。例えば、棚板１０を比較的に強固に支持し得るとともに棚板１０自体の強度を確保する観点等からは、ダボ状部３７の長さ寸法を、棚板１０の前後寸法の１／４〜１／２程度とすることが好ましい。図例では、ダボ状部３７の長さ寸法を、棚板１０の前後寸法の１／２程度とした例を示している。
【００２３】
また、本実施形態では、図４（ｄ）、（ｅ）に示すように、ダボ状部３７の周面に、周方向に間隔を空けて複数本の細凹溝を長手方向に沿って全長に亘って設け、ダボ状部３７の周面をローレット形状としている。なお、図例のようにダボ状部３７の周面を、一方向（長手方向）に沿う平目状のローレット形状とした態様に代えて、ダイヤ状やクロス状に細凹溝を形成したあやめ状のローレット形状とした態様としてもよい。このようにダボ状部３７の周面をローレット形状とすることで、棒状支持部材３５の雄ねじ部３６を固定部材３０の雌ねじ孔３１に捩じ込む際における操作性を向上させることができる。また、後記するようにダボ状部３７を棚板１０の支持穴１５に押し込むようにして挿入させた際に、ダボ状部３７の周面のローレット形状を、当該棒状支持部材３５の回り止めとして機能させたり、接着剤等を塗布する場合には、接着剤の溜り凹所として機能させたりすることもできる。
なお、このようにダボ状部３７の周面をローレット形状とする態様に代えて、ダボ状部３７を略多角柱形状としてもよい。これによっても捩じ込み時における操作性等を向上させることができ、同様の効果を奏する。
【００２４】
上記構成とされた棒状支持部材３５は、レール部材２０の案内溝２１に収容された固定部材３０の雌ねじ孔３１に雄ねじ部３６がねじ作用で嵌って固定され、前方に向けて突出した状態で支持される。また、この棒状支持部材３５の雄ねじ部３６が固定部材３０の雌ねじ孔３１に捩じ込まれることで、固定部材３０がレール部材２０の抜止壁部２４，２６に押し付けられてレール部材２０に固定される構造としている。本実施形態では、棒状支持部材３５の雄ねじ部３６と固定部材３０の雌ねじ孔３１とを嵌り合わせ、棒状支持部材３５の雄ねじ部３６をレール部材２０の案内溝２１の上記溝底面に当接させた状態で、雄ねじ部３６を雌ねじ孔３１に捩じ込むことで、固定部材３０がレール部材２０の抜止壁部２４，２６に押し付けられてレール部材２０に固定される構造としている。つまり、棒状支持部材３５の雄ねじ部３６と固定部材３０の雌ねじ孔３１とのねじ作用により、棒状支持部材３５の雄ねじ部３６に対して固定部材３０が前方に移動し、その係合突部３２，３２がレール部材２０の抜止壁部２４，２６に押し付けられて固定部材３０がレール部材２０に強固に固定される。
【００２５】
このような固定構造とすることで、ナット部材等を別途設けた場合と比べて、簡易な構造で固定部材３０をレール部材２０に強固に固定することができる。
なお、棒状支持部材３５の雄ねじ部３６が固定部材３０の雌ねじ孔３１に捩じ込まれることで、固定部材３０がレール部材２０の抜止壁部２４，２６に押し付けられてレール部材２０に固定される構造としては、上記した構造に限られない。例えば、棒状支持部材３５の雄ねじ部３６のねじ長さを、レール部材２０の案内溝２１の上記溝深さ寸法よりも小さく形成し、ダボ状部３７の径を、レール部材２０の上下の抜止壁部２４，２６間の上下寸法よりも大きい寸法とした構造としてもよい。この場合は、棒状支持部材３５の雄ねじ部３６と固定部材３０の雌ねじ孔３１とを嵌り合わせ、棒状支持部材３５の上記段差部をレール部材２０の抜止壁部２４，２６の前面に当接させた状態で、雄ねじ部３６を雌ねじ孔３１に捩じ込むことで、固定部材３０がレール部材２０の抜止壁部２４，２６に押し付けられてレール部材２０に固定される構造となる。
【００２６】
つまりは、上記いずれの構造においても、棒状支持部材３５及びレール部材２０のそれぞれに、互いに当接することで互いの前後移動を抑制する当接部を設けた構造とし、これら当接部を当接させた状態で、棒状支持部材３５の雄ねじ部３６を固定部材３０の雌ねじ孔３１に捩じ込むことで、棒状支持部材３５の雄ねじ部３６に対して固定部材３０が前方に移動し、レール部材２０の抜止壁部２４，２６に押し付けられてレール部材２０に固定される構造とされている。
【００２７】
また、棚板支持装置２は、図２及び図３に示すように、レール部材２０の長手方向両側端面を覆うエンドキャップ２８，２８を備えている。
このエンドキャップ２８は、レール部材２０の側端面に対応した形状とされ、該側端面を覆うカバー部２８ａと、このカバー部２８ａの内側面側（レール部材２０側）に突出するように設けられた係合突片部２８ｂとを備えている。この係合突片部２８ｂが、レール部材２０の案内溝２１の側方開口を介して案内溝２１に嵌め込まれるようにして挿入されて当該エンドキャップ２８がレール部材２０に取り付けられる。なお、接着剤等を係合突片部２８ｂ及び案内溝２１の両方または一方に塗布して、このエンドキャップ２８をレール部材２０に取付固定するようにしてもよい。または、このような係合突片部２８ｂを設けずに、カバー部２８ａの内側面をレール部材２０の側端面に接着剤によって接着固定する態様としてもよい。
【００２８】
カバー部２８ａは、本実施形態では、側面視において略矩形状とされた略矩形状部位と、この略矩形状部位の後側部位の上下に突出するように形成された上下一対の突片状部位とを備え、側面視における形状が扁平な略倒凸字状とされている。略矩形状部位は、レール部材２０の固定片部２２、上下片部２３，２５及び上下の抜止壁部２４，２６によって側面視略矩形状の外郭形状とされた部位を覆う形状とされている。上下一対の突片状部位は、同寸同形状とされ、これらのうち、下側の突片状部位がレール部材２０の垂下片２７の側端面を覆う構成とされている。また、上下一対の突片状部位のうち、上側の突片状部位が、後記する棚板１０の凹溝１２の上側片部１３の側端面の一部を覆う構成とされている。
【００２９】
カバー部２８ａを、上記のような構成とすることで、レール部材２０の左右のいずれ側にも当該エンドキャップ２８を取り付けることができる。従って、部品点数を削減でき、取り扱い性及び組み付け性を向上させることができる。
また、このカバー部２８ａの上下寸法は、後記する棚板１０の厚さ寸法と略同寸法とされており、上側部及び下側部（図例では、上下一対の突片状部位）が棚板１０の上面及び下面から上下にそれぞれ突出しないようにレール部材２０に取り付けられる。
【００３０】
なお、図３において符号３４は、棒状支持部材３５の雄ねじ部３６が挿入され、棒状支持部材３５の上記段差部と固定部材３０の前面との間に介在されるゴムワッシャー等のワッシャー（座金）である。
また、上記したレール部材２０、固定部材３０、棒状支持部材３５及びエンドキャップ２８は、アルミニウムやステンレス、鉄、炭素鋼等の適宜の金属材料から押出成形や鋳造成形または切削加工等によって上記形状に成形された金属製としてもよい。または、硬質の合成樹脂系材料から上記形状に成形された硬質合成樹脂製としてもよい。
【００３１】
棚板１０は、後端部１１が棚板支持装置２に連結固定され、壁面３に沿わせるようにしてこの棚板支持装置２に支持される。
棚板１０の後端部１１には、棒状支持部材３５のダボ状部３７が挿入される複数の支持穴１５が棚板１０の左右方向に沿って間隔を空けて、当該棚板１０の厚さ方向略中央に設けられている。この支持穴１５は、当該棚板１０の前後方向に沿って形成され、後方側に向けて開口しており、その前後寸法（深さ寸法）が棒状支持部材３５のダボ状部３７の受け入れが可能なように、ダボ状部３７の長さ寸法よりも大きく形成されている。また、この支持穴１５の穴径は、ダボ状部３７の径と略同寸法としてもよく、またはダボ状部３７の径よりも僅かに小さく若しくは僅かに大きくするようにしてもよい。例えば、ダボ状部３７を金属製からなるものとし、当該棚板１０を木質系材料等からなるものとした場合には、挿入されたダボ状部３７を強固に保持可能とする観点等から、支持穴１５の穴径を、ダボ状部３７の径よりも僅かに小さくするようにしてもよい。この場合は、支持穴１５の内周面の塑性変形を伴ってダボ状部３７を押し込むように挿入するようにしてもよい。
【００３２】
また、本実施形態では、棚板１０の後端部１１に、レール部材２０を受け入れる凹溝１２を棚板１０の左右方向（長手方向）の全長に亘って設けている。この凹溝１２は、図１に示すように、その上下に上側片部１３及び下側片部１４を形成するようにして当該棚板１０の厚さ方向略中央に設けられ、後方側に向けて開口している。この凹溝１２の上下寸法（溝幅寸法）は、支持穴１５の穴径よりも大きく形成されている。また、この凹溝１２の溝幅寸法は、レール部材２０の受け入れが可能なように、レール部材２０の上面（上片部２３の上面）２０ａから下面（下片部２５の下面）までの寸法と略同寸法またはレール部材２０の上面２０ａから下片部２５の下面までの寸法よりも僅かに大きく形成されている。
【００３３】
また、上側片部１３によってレール部材２０の上面２０ａを略覆い隠せるように凹溝１２が形成されている。図例では、上側片部１３によってレール部材２０の上面２０ａを全面に亘って覆い隠す構造とした例を示している。
また、下側片部１４の後端面１４ａがレール部材２０の垂下片部２７に当接して、この垂下片部２７の前面２７ａ側を覆うように凹溝１２が形成されている。図例では、棚板１０の下面と垂下片部２７の下面とが略同一平面状となるように、下側片部１４の後端面１４ａと垂下片部２７の前面２７ａとを略一致する形状とした例を示している。
【００３４】
なお、この棚板１０は、住居等の建物の壁面３に沿わせるようにして棚板支持装置２によって固定支持され、飾り棚やカウンターとして用いられるものとしてもよい。
また、図例では、平面視略矩形状とした棚板１０を例示しているが、平面視における形状が、略半円形状や略三角形状、略台形状等とされたものとしてもよい。
また、この棚板１０は、基材に、適宜、合成樹脂シートや突板等の表面化粧材を貼着して表面化粧処理が施された構成としてもよい。この基材としては、合板やＬＶＬ（単板積層材）等の木質積層板、パーティクルボード等の木質ボード、またはインシュレーションボードやＭＤＦ（中密度繊維板）等の木質繊維板などの木質系材料を板状に加工したものが挙げられる。また、上記基材としては、その他、合成樹脂系材料に、木粉や無機フィラー、相溶化剤、着色剤などを所定の含有割合で含有させた木粉・プラスチック複合材（ＷＰＣ）を板状に加工したものや、合成樹脂系材料、金属系材料等を板状に加工した基材としてもよい。また、上記基材としては、適宜の板状材料を組み合わせて積層した基材としてもよい。
【００３５】
次に、上記構成とされた棚板装置１（棚板支持装置２を用いた棚板１０の支持構造）の施工手順の一例及び棚板支持構造について説明する。
まず、図４（ａ）に示すように、レール部材２０を壁面３に沿わせるようにして、止具４によって固定する。この際、当該レール部材２０の長さ寸法や棚板１０の質量等に応じて棚板１０の支持が可能なように、レール部材２０の長手方向に沿って間隔を空けて複数の止具４をレール部材２０に捩じ込み（または打ち込み）、当該レール部材２０を固定するようにしてもよい。
【００３６】
また、図４（ａ）〜（ｃ）に示すように、レール部材２０の案内溝２１に、必要に応じた個数の複数の固定部材３０をスライドさせて収容させる。この固定部材３０は、レール部材２０を固定する前に案内溝２１に収容させるようにしてもよく、レール部材２０を固定した後に案内溝２１に収容させるようにしてもよい。
次いで、図４（ｄ）、（ｅ）に示すように、必要に応じた本数の複数本の棒状支持部材３５を、それぞれの雄ねじ部３６を固定部材３０の雌ねじ孔３１に捩じ込んで固定する。本例では、図３に示すように、三つの固定部材３０をレール部材２０の案内溝２１に収容させ、三本の棒状支持部材３５のそれぞれを固定部材３０に固定支持させた例を示している。
【００３７】
棒状支持部材３５を固定部材３０に固定する際には、棒状支持部材３５を固定部材３０に仮固定した状態で、棚板１０の後端部１１に設けた複数の支持穴１５に棒状支持部材３５のダボ状部３７の前端部を挿入して棒状支持部材３５及び固定部材３０を支持穴１５の位置に応じた適宜位置となるように位置決めするようにしてもよい。そして、位置決めした後に、上記したように棒状支持部材３５の雄ねじ部３６を固定部材３０の雌ねじ孔３１に捩じ込むことで、固定部材３０をレール部材２０の抜止壁部２４，２６に押し付けてレール部材２０に固定するようにしてもよい。
【００３８】
次いで、図１（ｂ）、図３及び図５（ａ）に示すように、棚板１０の後端部１１に設けた複数の支持穴１５のそれぞれに棒状支持部材３５のダボ状部３７を押し込むようにして挿入するとともに、棚板１０の後端部１１に設けた凹溝１２にレール部材２０を受け入れさせるようにして棚板１０を棚板支持装置２に固定支持させるようにしてもよい。なお、棒状支持部材３５のダボ状部３７及び棚板１０の支持穴１５の両方または一方に接着剤を塗布した後に、棚板１０の支持穴１５に棒状支持部材３５のダボ状部３７を挿入するようにしてもよい。
この状態では、図１（ａ）及び図５（ｂ）に示すように、棚板１０の凹溝１２の上側片部１３の後端面が壁面３に近接対面または当接し、この上側片部１３によってレール部材２０の上面２０ａが全面に亘って覆い隠される。また、棚板１０の凹溝１２の下側片部１４の後端面１４ａがレール部材２０の垂下片部２７の前面２７ａに当接し、この垂下片部２７の前面２７ａが下側片部１４の後端面１４ａによって覆われる。
【００３９】
そして、図３及び図５（ｂ）に示すように、レール部材２０の長手方向両側端面を覆うように、レール部材２０の長手方向両側端部のそれぞれにエンドキャップ２８，２８を取り付け、図２に示すように、棚板１０を壁面３に沿わせるようにして固定するようにしてもよい。なお、上記施工手順は一例であり、各部材の機能を阻害しない限りにおいて別手順でなされるようにしてもよい。
【００４０】
上記構成とされた棚板装置１及び棚板支持構造によれば、簡易な構造でありながらも棚板１０を支持する部材を目立ち難くすることができる。
つまり、棚板１０の後端部１１にレール部材２０を受け入れる凹溝１２を全長に亘って設け、凹溝１２の上側片部１３によってレール部材２０の上面２０ａ側を略覆い隠す構造としている。従って、簡易な構造でありながらも上方側から棚板１０を見た状態においてレール部材２０を目立ち難くすることができる。また、レール部材２０の上面２０ａ側を覆う壁パネルやカバー部材等を設ける必要がなく、簡易な構造とすることができる。
また、本実施形態では、棚板１０の上側片部１３の後端面を壁面３に近接対面または当接させ、この上側片部１３によってレール部材２０の上面２０ａを全面に亘って覆い隠す構造としている。従って、棚板１０を上方側から見た状態では、レール部材２０が露出することなく、棚板１０の後端部１１が直付け的乃至は埋め込み状に壁面３に沿わせるようにして固定されたような印象を与えることができ、より見栄えを向上させることができる。
【００４１】
また、このように見栄えの向上が可能でありながらも、レール部材２０に固定部材３０を介して支持された棒状支持部材３５の前端側のダボ状部３７を棚板１０の後端部１１の支持穴１５に挿入して棚板１０が支持されるため、安定的に棚板１０を支持することができる。
さらに、棒状支持部材３５は、レール部材２０の案内溝２１にスライド自在に収容されて任意の位置で固定される固定部材３０に支持される構造とされている。従って、長さ寸法（左右寸法）の異なる棚板１０を設置したい場合等にも、棒状支持部材３５及び固定部材３０は、共通部品とし、レール部材２０及び棚板１０の長さ寸法を適宜設定または切断して長さ寸法を調整することで容易に対応することができる。
【００４２】
また、本実施形態では、固定片部２２の上縁部から前方に向けて突出するように形成された上片部２３を含みレール部材２０の上面２０ａ全面を略平坦面としている。従って、棚板１０の後端部１１の凹溝１２の上側片部１３によって、レール部材２０の上面２０ａ全面を覆い隠す場合において、その上側片部１３を簡易な構造とすることができる。
また、本実施形態では、固定片部２２の下縁部から前方に向けて突出するように形成された下片部２５の後端縁に、下方に向けて垂れ下がり、棚板１０の凹溝１２の下側片部１４の後端面１４ａに当接して前面２７ａが覆われる垂下片部２７を設けている。従って、レール部材２０の垂下片部２７を固定対象としての壁面３に当接させることができ、当該レール部材２０を安定的に固定することができ、この結果、棚板１０を安定的に支持することができる。また、この垂下片部２７は、棚板１０の凹溝１２の下側片部１４の後端面１４ａに当接して前面２７ａが覆われるため、目立ち難く、見栄えを向上させることができる。
また、本実施形態では、棚板１０の下面と垂下片部２７の下面とが略同一平面状となるように、下側片部１４の後端面１４ａと垂下片部２７の前面２７ａとを略一致する形状としている。これにより、棚板１０の下面と垂下片部２７の下面との間に段差等が形成されず、棚板１０を下方側から見た状態において、垂下片部２７が目立ち難くなり、見栄えを向上させることができる。
【００４３】
なお、本実施形態では、レール部材２０に垂下片部２７を設けた例を示しているが、このような垂下片部２７を設けない態様としてもよい。この場合は、棚板１０の凹溝１２の下側片部１４の後端面１４ａを壁面３に近接対面または当接させる構造としてもよい。
また、本実施形態では、レール部材２０の上面２０ａを全面に亘って略平坦面とした例を示しているが、レール部材２０の上片部２３の後端縁に、上方に向けて突出する突片部を設けた態様としてもよい。この場合は、突片部の前面に棚板１０の凹溝１２の上側片部１３の後端面を当接させてこの後端面によって該前面を覆う構造としてもよい。また、この場合は、棚板１０の上面と突片部の上面とが略同一平面状となるように上側片部１３の後端面と突片部の前面とを略一致する形状としてもよい。これらのような構造によっても、上方側から棚板装置１を見た状態では、レール部材の突片部の上面が露出するがレール部材の上面側は略覆い隠されるので見栄えを向上させることができる。
【００４４】
また、レール部材２０の案内溝２１の形状及び固定部材３０の形状は、図例のものに限られず、レール部材２０の案内溝２１に固定部材３０が収容可能で、案内溝２１の長手方向に沿って固定部材３０がスライド自在とされたものであればどのような形状としてもよい。
さらに、本実施形態では、棒状支持部材３５の後端部を雄ねじ部３６とし、固定部材３０にこの雄ねじ部３６が捩じ込まれる雌ねじ孔３１を設けた例を示しているが、棒状支持部材３５と固定部材３０とを連結固定する構造としてはこのような態様に限られない。例えば、固定部材３０に止具挿通孔を設け、固定部材３０の後面側にナット部材を配設して、棒状支持部材３５の雄ねじ部３６を固定部材３０の止具挿通孔を介してナット部材に捩じ込み、これらを連結固定する態様としてもよい。または、固定部材３０の前面側に前方に向けて突出する雄ねじ部を設け、棒状支持部材３５の後端部に後方側に向けて開口する雌ねじ穴を設け、この雌ねじ穴に固定部材３０の雄ねじ部を捩じ込むことで、これらを連結固定する態様としてもよい。
【００４５】
次に、本発明に係る他の実施の形態について、図面を参照しながら説明する。
図６は、第２実施形態に係る棚板装置及び棚板支持構造について説明するための説明図である。
なお、上記第１実施形態との相違点について主に説明し、同様の構成については、同一符号を付し、その説明を省略または簡略に説明する。
【００４６】
本実施形態に係る棚板装置１Ａが備える棚板支持装置２Ａは、図６（ａ）に示すように、レール部材２０と略同長さ寸法で、レール部材２０よりも上下方向の幅寸法が、幅広寸法とされ、かつレール部材２０と壁面３との間に配設される帯板状部材４０を更に備えている。
この帯板状部材４０には、図６（ａ）、（ｂ）に示すように、棚板１０Ａの後端部１１を受け入れてこの後端部１１を保持する係合凹所４１が設けられている。この係合凹所４１は、前方に向けて開口し、当該帯板状部材４０の長手方向に沿って全長に亘って設けられており、凹溝状に形成されている。
【００４７】
この帯板状部材４０は、壁面３に沿って配設される平板状の固定板状部４２と、固定板状部４２の上縁部から前方に向けて突出するように形成された上突片部４４と、固定板状部４２の下縁部から前方に向けて突出するように形成された下突片部４５とを備えている。
固定板状部４２の前面には、図６（ｂ）に示すように、レール部材２０と同様の断面略Ｖ字状の細凹溝４２ａが長手方向に沿って形成されている。この細凹溝４２ａは、レール部材２０に設けられた細凹溝２２ｂ（図４（ｂ）等参照）と上下で同位置となるように設けられている（図６（ａ）参照）。
上突片部４４は、棚板１０Ａの後端部１１の上面縁部に当接し、該上面縁部を覆う構成とされ、下突片部４５は、棚板１０Ａの後端部１１の下面縁部に当接し、該下面縁部を覆う構成とされている。
帯板状部材４０は、これら上下の突片部４４，４５及び固定板状部４２によって、前方に向けて開口する凹溝状の係合凹所４１を区画形成している。
【００４８】
また、帯板状部材４０は、下突片部４５の前端縁から下方側に向けて垂れ下がるように形成されるとともにその下側部位が後方側に屈曲するように鉤状に形成され、壁面３に当接する当接片部４６を備えている。このような当接片部４６を設けることで、棚板１０Ａをより安定的に支持することができる。
また、帯板状部材４０の係合凹所４１の溝底面（固定板状部４２の前面）には、前方に向けて開口し、レール部材２０の後側部位を受け入れる凹溝状の受入凹所４３が設けられている。この受入凹所４３の上下寸法（溝幅寸法）は、レール部材２０の後側部位の受け入れが可能なように、レール部材２０の上下寸法（幅寸法）と略同寸法またはレール部材２０の上下寸法（幅寸法）よりも僅かに大きい寸法とされている。また、この受入凹所４３の前後寸法（溝深さ寸法）は、レール部材２０の垂下片部２７の前後寸法（厚さ寸法）と略同寸法とされている。
【００４９】
棚板１０Ａは、上記第１実施形態に係る棚板１０よりも厚さ寸法が大きく形成されており、また、それに伴い上側片部１３Ａ及び下側片部１４Ａの厚さ寸法も大きく形成されている。
また、上側片部１３Ａは、レール部材２０の上面２０ａの全面を覆い隠す構造とされておらず、上面２０ａの後端縁側を露出させるようにその上面２０ａを略覆い隠す構造とされている。また、この上側片部１３Ａは、その後端面が帯板状部材４０の係合凹所４１の溝底面に近接対面または当接する構造とされている。
また、下側片部１４Ａは、その後端面が帯板状部材４０の受入凹所４３に受け入れられたレール部材２０の垂下片部２７の前面２７ａに当接し、この前面２７ａを覆う構造とされている。また、この下側片部１４Ａは、その後端面が帯板状部材４０の係合凹所４１の溝底面に近接対面または当接する構造とされている。
【００５０】
また、本実施形態では、上記第１実施形態において説明したエンドキャップ２８に代えて、図６（ｃ）、（ｄ）に示すように、レール部材２０及び帯板状部材４０の長手方向両側端面を覆う形状とされたエンドキャップ２９を備えている。
このエンドキャップ２９は、レール部材２０及び帯板状部材４０の側面視における外郭形状に対応させたカバー部２９ａと、レール部材２０の案内溝２１に嵌め込まれるようにして挿入される上記同様の係合突片部２９ｂとを備えている。
【００５１】
本実施形態に係る棚板装置１Ａを施工する際には、帯板状部材４０の受入凹所４３にレール部材２０の後側部位を嵌め込むようにして係合させ、レール部材２０を、帯板状部材４０を介して壁面３に沿わせるようにして固定するようにしてもよい。この際、帯板状部材４０を壁面３に沿わせて固定した後に、レール部材２０を固定するようにしてもよい。または、帯板状部材４０の受入凹所４３にレール部材２０の後側部位を嵌め込んだ状態で、両者を貫通させるようにして止具４（図４（ａ）参照）によってこれらを壁面３に固定する態様としてもよい。
次いで、図６（ａ）に示すように、上記第１実施形態と同様、固定部材３０及び棒状支持部材３５を組み付け、棚板１０Ａの後端部１１に設けた凹溝１２Ａにレール部材２０を受け入れさせるようにして棚板１０Ａを棚板支持装置２Ａに固定支持させるようにしてもよい。つまり、本実施形態に係る棚板支持構造においても、棚板１０Ａの後端部１１に設けた凹溝１２Ａにレール部材２０を受け入れさせ、その上側片部１３Ａによってレール部材２０の上面２０ａ側を略覆い隠す構造としている。また、この状態では、図６（ａ）に示すように、棚板１０Ａの後端部１１が帯板状部材４０の係合凹所４１に係合し、保持される。
そして、図６（ｄ）に示すように、エンドキャップ２９を取り付けるようにしてもよい。
【００５２】
上記構成とされた本実施形態に係る棚板装置１Ａ及び棚板支持構造においても上記第１実施形態と概ね同様の効果を奏する。
また、本実施形態に係る棚板装置１Ａ及び棚板支持構造によれば、レール部材２０を目立ち難くすることが可能でありながらも、帯板状部材４０によって棚板１０Ａの支持を補強することができる。
また、本実施形態では、棚板１０Ａを上方側から見た状態において、帯板状部材４０の上面が露出するが、帯板状部材４０の上突片部４４は、棚板１０Ａの後端部１１の上面縁部を覆う構成とされている。そのため、帯板状部材４０の上面の前後寸法は、棚板１０Ａの前後寸法に比して極めて小さく、然程目立つことがなく、見栄えを阻害することがない。
【００５３】
なお、本実施形態では、帯板状部材４０にレール部材２０の後側部位を受け入れる受入凹所４３を設けた例を示しているが、このような受入凹所４３を設けないようにしてもよい。この場合は、棚板１０Ａの後端部１１にレール部材２０の前後方向の全体を受け入れる凹溝１２Ａを設ける態様としてもよい。
また、本実施形態では、棚板１０Ａの後端部１１を保持する補強部材として機能する帯板状部材４０を設けた例を示しているが、この帯板状部材４０を設けずに、棚板１０Ａを支持する構造としてもよい。この場合は、棚板１０Ａの上側片部１３Ａを上記第１実施形態と同様、レール部材２０の上面２０ａの全面を覆い隠し得る形状としてもよい。また、棚板１０Ａの下側片部１４Ａの後端面を段形状として、その一部を壁面３に近接対面または当接させ得る形状としてもよい。
また、上記各実施形態に係る棚板支持構造においては、棚板１０（１０Ａ）の後端部１１の凹溝１２（１２Ａ）及び支持穴１５の両方または一方を、現場等において切削等により上記形状に加工して設けられるものとしてもよい。
【符号の説明】
【００５４】
１，１Ａ      棚板装置
３            壁面
１０，１０Ａ  棚板
１１          棚板の後端部
１２，１２Ａ  凹溝
１３，１３Ａ  上側片部
１４，１４Ａ  下側片部
１４ａ        下側片部の後端面
１５          支持穴
２０          レール部材
２０ａ        レール部材の上面
２１          案内溝
２２          固定片部
２３          上片部
２４，２６    抜止壁部
２５          下片部
２７          垂下片部
３０          固定部材
３１          雌ねじ孔
３５          棒状支持部材
３６          雄ねじ部（棒状支持部材の後端部）
３７          ダボ状部（棒状支持部材の前端側）
４０          帯板状部材
４１          係合凹所
【図１】
0005961353.tif 000002
【図２】
0005961353.tif 000003
【図３】
0005961353.tif 000004
【図４】
0005961353.tif 000005
【図５】
0005961353.tif 000006
【図６】
0005961353.tif 000007